(57)【特許請求の範囲】
【請求項１】
表示手段と、
特定のキーを含む複数のキーを備えた入力手段と、
前記入力手段による入力および前記表示手段に対する表示を含む情報処理を実行する制御手段と、
前記入力手段のキーに関連した入力方法を説明するための複数の操作ガイド情報が前記情報処理の各段階の操作中の状況に対応して優先順位が付された状態で記憶する操作ガイド情報記憶手段と、
前記情報処理の各段階で１つの前記特定のキーが操作されたときは、前記操作ガイド情報記憶手段に記憶された操作ガイド情報の中から、その操作中の状況に対応する操作ガイド情報を前記優先順位に従って検索する検索手段とを備え、
前記制御手段は、前記１つの特定のキーが押下されたときに前記検索手段により検索された操作ガイド情報を前記表示手段に表示制御し、前記１つの特定のキーの押下が解除されたときは、即時もしくは所定時間後に前記１つの特定のキーが押下される前の状態に前記表示手段の表示状態を復帰させ、
前記検索手段は、前記１つの特定のキーの押下が解除された後に前記１つの特定のキーが押下されたときには、次に優先順位の高い操作ガイド情報を順次検索し、当該操作ガイド情報が存在しない場合には、携帯情報端末機本体のハードウェアに関する操作ガイド情報または前記制御手段が実行可能なアプリケーションソフトウェアに共通の操作ガイド情報を検索結果とし、
前記制御手段は、前記検索手段により検索された検索結果を前記表示手段に表示制御することを特徴とする携帯情報端末機。
【請求項２】
前記検索手段が最後に検索した前記操作ガイド情報に設定された優先順位を繰り上げる優先順位更新手段を備えたことを特徴とする請求項１記載の携帯情報端末機。
【請求項３】
前記優先順位更新手段は、前記検索手段により最後に検索された操作ガイド情報に設定された優先順位をその優先順位が最優先順位以外の場合は１順位繰り上げて更新することを特徴とする請求項２記載の携帯情報端末機。
【請求項４】
前記優先順位に対応して初期の重み付けが付与され、前記検索手段により最後に検索された前記操作ガイド情報の優先順位に対応した重み付けを高める重み付け更新手段を備え、
前記検索手段は、前記重み付け更新手段により更新された重み付けが大きい順に前記操作ガイド情報を検索することを特徴とする請求項１ないし３の何れかに記載の携帯情報端末機。
【請求項５】
前記検索手段は、次に優先順位の高い操作ガイド情報を順次検索した場合当該操作ガイド情報が存在しないときには、最優先順位に対応した操作ガイド情報を検索結果とすることを特徴とする請求項１ないし４の何れかに記載の携帯情報端末機。
【請求項６】
前記操作ガイド情報は、互いに関連した複数の区分に区分けされると共に当該区分毎に優先順位が設定され、
前記検索手段は、所定の前記区分内で次に優先順位の高い操作ガイド情報を検索した場合当該操作ガイド情報が存在しないときには、前記所定区分に対して予め関連付けされた他の区分内で操作ガイド情報を検索することを特徴とする請求項１ないし５の何れかに記載の携帯情報端末機。
【発明の詳細な説明】
【技術分野】
【０００１】
本発明は、小型の表示器および少数のキーを具備した携帯情報端末機に関する。
【背景技術】
【０００２】
操作者が、各種情報端末に対して例えばキーボード等を使用して操作入力するとき、この入力方法を理解することが難しいことがある。このため一般に、情報端末には入力方法を説明するための操作ガイド情報が予め記憶されている。操作者が、情報端末に記憶された操作ガイド情報を読み出すことで入力方法を把握できるようになる（例えば、特許文献１参照）。
【０００３】
特許文献１に開示されているヘルプガイダンス方法では、データ入力手段と、データまたはプログラムを記憶する記憶手段と、画面表示のための表示手段とを有し、表示手段は、メイン処理画面とヘルプ画面を両者が重ならないように常時表示するようにしている。メイン処理は、複数の画面それぞれごとにデータ入力手段を操作して行う複数の単位情報処理を連続して行うように要求する画面表示を行い、ヘルプ処理は、メイン処理画面で現在要求されている任意の１つの単位処理の単位処理操作時におけるメイン処理画面の表示例を表示してヘルプガイダンスを行っている。この方法によれば、ユーザが視覚的に理解しやすくすることができ、ユーザの使い勝手のよいものとすることができる。
【特許文献１】特開２００４−３０４４６
【発明の開示】
【発明が解決しようとする課題】
【０００４】
特許文献１記載の技術によれば、ユーザが視覚的に理解しやすくなるものの、この技術思想は、パーソナルコンピュータ等のコンピュータ機器に関する技術思想であり、比較的広い画面を有する機器にしか適用できないものである。すなわち、１つの画面に対してメイン処理画面とヘルプガイダンスとを同時に表示できるように表示手段が構成されているため、携帯用に用いられる小型の表示器しか構成要件として備えていない携帯情報端末機には、この特許文献１記載の技術思想を適用することができず、たとえ適用したとしても実用的な操作ガイドを表示することができないという不都合が生じる。
【０００５】
さらに、携帯情報端末機は、パーソナルコンピュータ等と比較して少数のキーしか備えておらず、必要に応じて複雑な操作が必要とされる場合がある。少数キーで複雑な操作が要求されるアプリケーションにおいては、操作者がキーに割り付けられた機能を記憶しておかなければならないため面倒である。
【０００６】
本発明は、上記事情に鑑みてなされたもので、その目的は、小型の表示器および少数のキーを備えてなる入力手段を具備した携帯情報端末機において、複雑な操作が必要とされるアプリケーションにおいても操作者が容易に入力を行うことができる携帯情報端末機を提供することにある。
【課題を解決するための手段】
【０００７】
請求項１記載の発明によれば、検索手段は、ユーザが情報処理の各段階で１つの特定のキーを操作入力したときに、入力手段のキーに関連した入力方法を説明するための複数の操作ガイド情報の中から、その操作中の状況に対応する操作ガイド情報を前記優先順位に従って検索し、制御手段は、前記１つの特定のキーが押下されたときに検索手段により検索された操作ガイド情報を表示手段に表示制御するため、操作者が必要と考えられる操作ガイド情報を表示手段に表示させることができ、たとえ複雑な操作が要求されるアプリケーションにおいても操作者が容易に入力を行うことができるようになる。
【０００８】
さらに、制御手段は、検索手段により検索された操作ガイド情報を表示手段に表示した後、特定のキーの操作が解除されたときは、即時もしくは所定時間後に特定のキーが操作される前の状態に表示手段の表示状態を復帰させるため、特別な操作を必要とすることなく操作ガイド情報の表示を消去することができる。
【０００９】
さらに、操作ガイド情報記憶手段には、複数の操作ガイド情報が情報処理の各段階の操作中の状況に対応して優先順位が付された状態で記憶され、検索手段は、優先順位に従って操作ガイド情報を検索するため、優先順位の高い操作ガイド情報から表示されるようになり利便性が向上する。
【００１０】
しかも、検索手段は、１つの特定のキーの押下が解除された後に、前記１つの特定のキーが押下されたときには、次に優先順位の高い操作ガイド情報を順次検索するため、たとえ操作者が必要と考える操作ガイド情報が表示手段に表示されなくても、特定のキーが再度操作されることにより次に優先順位の高い操作ガイド情報が表示されるようになり利便性が向上する。
しかも、検索手段は、操作ガイド情報が存在しない場合には、携帯情報端末機本体のハードウェアの内容を表示させるために必要な操作ガイド情報または制御手段が実行可能なアプリケーションソフトウェアに共通の操作ガイド情報を検索結果とするため、操作者はハードウェアに関する操作ガイド情報またはアプリケーションソフトウェアの操作ガイド情報を知ることができるようになる。
【００１１】
請求項２記載の発明によれば、優先順位更新手段は、検索手段が最後に検索した操作ガイド情報に設定された優先順位を繰り上げるため、操作者が必要な操作ガイド情報の表示優先順位を順次更新することができる。すなわち、操作ガイド情報が次回検索されたときには更新された優先順位に応じて操作ガイド情報が検索されることになり、操作者が必要な操作ガイド情報をできる限り素早く表示できるようになる。
【００１２】
請求項３記載の発明のように、優先順位更新手段を、検索手段により最後に検索された操作ガイド情報に設定された優先順位をその優先順位が最優先順位以外の場合は１順位繰り上げて更新することが望ましい。このように構成することにより、より適切な優先順位を設定することができる。
【００１３】
請求項４記載の発明によれば、重み付け更新手段は、優先順位に対応して付与された初期の重み付けに対して検索手段が最後に検索した操作ガイド情報の優先順位に対応した重み付けを高め、検索手段は、重み付け更新手段により更新された重み付けが大きい順に操作ガイド情報を検索する。これにより適切な優先順位を設定することができる。
【００１４】
請求項５記載の発明によれば、検索手段は、次に優先順位の高い操作ガイド情報を順次検索した場合当該操作ガイド情報が存在しないときには、最優先順位に対応した操作ガイド情報を検索結果とするため、例えば操作者の操作間違いがあったときでも最優先順位に設定された操作ガイド情報を再度検索結果として表示することができ利便性が向上する。
【００１５】
請求項６記載の発明によれば、操作ガイド情報は、互いに関連した複数の区分に区分けされると共に当該区分毎に優先順位が設定されており、検索手段は、所定の区分内で次に優先順位の高い操作ガイド情報を検索した場合当該操作ガイド情報が存在しないときには、所定区分に対して予め関連付けされた他の区分内で操作ガイド情報を検索するため、たとえ操作者が要求する操作ガイド情報が所定の区分内で検索できなくても操作ガイド情報を他の区分で検索することができ、利便性を向上できるようになる。
【発明を実施するための最良の形態】
【００１８】
以下、本発明の一実施形態について、図１ないし図５を参照しながら説明する。本実施形態においては、携帯情報端末機１を在庫管理、受注管理、売上管理を行う業務に対して使用する場合に適用して実施形態を説明する。図１（ａ）は、携帯情報端末機の電気的構成を概略的に示しており、図１（ｂ）は、携帯情報端末機の外観を示している。
【００１９】
図１（ａ）に示すように、携帯情報端末機１は、制御手段および検索手段としての制御回路２と、この制御回路２に対して接続される表示手段としての表示器３、ブザー４、入力手段としての操作スイッチ群５、操作ガイド情報記憶手段としての外部メモリ６を備えて構成されている。
【００２０】
制御回路２は、ＣＰＵ、ＲＯＭ、ＲＡＭ（何れも図示せず）等により構成されており、当該制御回路２に接続された各構成を制御する。図１（ｂ）に示すように、表示器３は、例えばＬＣＤやＬＥＤにより構成されており、制御回路２の制御に基づいて各種情報を報知可能に構成されている。ブザー４は、制御回路２の制御に基づいて各種音を鳴動するように構成されている。また、図１（ｂ）に示すように、操作スイッチ群５は、操作者により操作可能なスイッチにより構成されており操作スイッチ群５により操作入力されると制御回路２はこの操作信号を受け付ける。これらの操作スイッチ群５の操作入力情報は履歴として外部メモリ６等に記憶される。この操作スイッチ群５には、電源キーＰＷ、数字キーやエンターキーＥＮＴ、クリアキーＣ、各種ファンクションキーＦ１〜Ｆ３や、特殊な機能を実現するための複数の特定キー５ａが設けられている（図１（ｂ）のＭ１キー〜Ｍ４キー参照）。
【００２１】
これらの複数の特定キー５ａには、それぞれ予め特定の機能が割り当てられており、操作者はこれらの特定キー５ａを操作することにより操作ガイド情報を表示器３に対して表示するなどの各種機能を実現している。この詳細は後述する。
【００２２】
外部メモリ６には、制御回路２が携帯情報端末機１本体内の情報処理を実行可能とするＯＳ（オペレーティングシステム）や業務用プログラムが記憶されていると共にワークメモリも確保されている。また、外部メモリ６には、操作者の操作入力を手助けするための複数の操作ガイド情報（ヘルプガイダンス情報）が記憶されている。この操作ガイド情報は、操作スイッチ群５の操作入力方法を説明するためのガイダンスを示している。図２は、この外部メモリに記憶されるガイダンスの内容をガイダンステーブルＴとして示している。
【００２３】
このガイダンステーブルＴは、複数の区分毎に予め定められている。具体的には、業務開始ガイダンス、日時ガイダンス、在庫・受注・売上管理ガイダンス、携帯端末共通ガイダンス、アプリケーション共通ガイダンスに区分されており、これらの各区分毎に操作ガイド情報が記憶されている。
【００２４】
業務開始ガイダンスは、操作者が携帯情報端末機１を起動した直後に必要な情報を入力する場合、入力方法を理解できないときに必要とされることが予想されるガイダンスの区分を示している。この業務開始ガイダンスの区分には、在庫管理業務、受注管理業務もしくは売上管理業務に移行するときの操作ガイド情報や、各種メニュー画面に戻るための操作ガイド情報が設定されている。これらの操作ガイド情報には優先順位が付されているが、この優先順位に基づく表示制御方法は後述する。
【００２５】
また、日時ガイダンスは、操作者が日時設定を行うときに入力方法を理解できない場合に必要とされることが予想されるガイダンスの区分を示している。この日時ガイダンスの区分には、操作者が日時設定入力を行うための操作ガイド情報や、操作者が日時確認を行うための操作ガイド情報が設定されている。
【００２６】
また、在庫・受注・売上管理ガイダンスは、在庫管理業務、受注管理業務、売上管理業務に係り操作者が入力方法を理解できない場合に必要とされることが予想されるガイダンスの区分を示している。特にこの在庫・受注・売上管理ガイダンスは、各業務を遂行するときに操作者が入力方法を理解するのに必要とされる各業務共通のガイダンスの区分を示している。この在庫・受注・売上管理ガイダンスの区分には、在庫管理業務、受注管理業務もしくは売上管理業務に移行するときの操作ガイド情報や、メニュー画面に戻るための操作ガイド情報が設定されている。
【００２７】
携帯端末共通ガイダンスは、携帯情報端末機１本体のハードウェアに関する操作ガイド情報の区分を示していたり、携帯情報端末機１本体の保証連絡先の操作ガイド情報等の区分を示している。この携帯端末共通ガイダンスの区分には、バーコードの読取指示を行うための操作ガイド情報や、表示器３のコントラスト調整のための入力方法の操作ガイド情報や、バッテリの残量やブザー４から鳴動する音量情報を調整するための入力方法の操作ガイド情報が設定されている。
【００２８】
アプリケーション共通ガイダンスは、携帯情報端末機１本体の外部メモリ６に記憶されると共に制御回路２が実行可能なアプリケーションソフトウェアに共通の操作ガイド情報の区分を示している。このアプリケーション共通ガイダンスの区分には、携帯情報端末機１に対して記憶された集計データを送信するための入力方法に係る操作ガイド情報や、マスターデータを更新するための入力方法に係る操作ガイド情報、トラブル時の対応方法や、勤務時間・休憩時間等の操作ガイド情報が設定されている。尚、この例以外にも様々な区分を設定しても良い。
【００２９】
このガイダンステーブルＴには、各区分毎の操作ガイド情報に対して優先順位が付されている。この優先順位は、操作者が操作ガイド情報を呼び出した回数に応じて操作者が求めると予想される操作ガイド情報に対して設定されている。
【００３０】
上記構成の作用について、図３ないし図５をも参照しながら説明する。
図３は、操作者が各種業務を遂行する際の画面イメージを概略的に示している。また、図４は、アプリケーションプログラムによる処理をフローチャートにより示しており、図５は、ＯＳ（オペレーティングシステム）による処理をフローチャートにより示している。図５に示すように、制御回路２は外部メモリ６に記憶されたＯＳにより以下に説明するキー割込み処理を行いながら、図４に示すプログラム処理を行うようになっている。
【００３１】
まず、図５を参照しながらＯＳによる処理を説明する。制御回路２は、特定キー５ａ（図１（ｂ）のＭ１キー〜Ｍ４キー）の押下を検出するまで所定時間タイマ（図示せず）を稼動させながら待機する（ステップＳ１〜Ｓ２）。ただし、スタート直後はタイマをスタートさせていないためタイムアップしない。制御回路２は、特定キー５ａが押下されたことが検出されると、ガイダンステーブルＴから操作ガイド情報を検索する（ステップＳ３）。
【００３２】
次に、制御回路２は、ガイダンステーブルＴから操作ガイド情報を検索すると、この操作ガイド情報を表示器３に対して表示制御する（ステップＳ４）。このときに表示される操作ガイド情報の表示形態については後述する。制御回路２は、操作ガイド情報を表示器３に対して表示しているときには、特定キー５ａの非押下状態を検出するまで操作ガイド情報を表示し続ける（ステップＳ５：ＮＯ）。
【００３３】
制御回路２は、特定キー５ａが押下されなくなると、タイマ（図示せず）をリスタートさせ（ステップＳ６）、操作ガイド情報を表示する以前に表示器３に表示されていた内容を表示器３に対して表示制御し（ステップＳ７）、ステップＳ１に戻りこれらの処理を繰り返す。この後、制御回路２は、ステップＳ４にて表示された操作ガイド情報が当該操作ガイド情報の表示優先順位を更新すべきときには、ステップＳ６にてリスタートしたタイマの経過時間が所定時間経過したことを条件として（ステップＳ１：ＹＥＳ）、優先順位を更新する（ステップＳ８）。
【００３４】
すなわち、制御回路２は、一連のＯＳ処理を行うことにより特定キー５ａ（Ｍ１キー〜Ｍ４キー）のキー割込みを受付け、特定キー５ａが押下されていることを検出している間は操作ガイド情報を表示器３に対して表示制御する。また、制御回路２は、特定キー５ａが押下されていない間に優先順位を更新する。
【００３５】
また、操作者が操作スイッチ群５を操作することにより業務の開始指示を行いアプリケーションプログラムを実行指示すると、制御回路２は、図４に処理内容を示すアプリケーションプログラムを実行する。以下、図３および図４を参照しながらアプリケーションプログラムの処理内容の説明を行う。
【００３６】
図４は、アプリケーションプログラムの処理内容をフローチャートにより概略的に示しており、図３は、表示部３に対する表示画面例を示している。
アプリケーションプログラムの実行指示がなされると、図４に示すように、制御回路２は、ガイダンステーブルＴのうち業務開始画面用のテーブルを初期設定として用い（ステップＴ１）、表示器３に表示される画面を初期化して現在時刻を表示させる（ステップＴ２）。このとき制御回路２は、図３に示すように、表示器３に対して開始日時として現在時刻を表示すると共に、社員番号、所属、担当者、等の入力画面を表示制御する（表示画面Ｇ１参照）。そして図４に示すように、制御回路２は、プログラム処理の中で社員番号の入力処理に移行する（ステップＴ３）。
【００３７】
操作者が社員番号の入力を行い、社員番号の入力が完了すれば（ステップＴ４：ＹＥＳ）、制御回路２は、この社員番号に対応して外部メモリ６に記憶された社員情報の表示処理を行い（ステップＴ５）各種キー入力受付を開始する（ステップＴ６）。このとき、操作者が操作スイッチ群５のファンクションキーＦ１〜Ｆ３を操作すると、制御回路２はこのキー操作を受付け、キーの種類に応じて在庫管理業務用のプログラムや受注管理業務用のプログラム、売上管理業務用のプログラムを実行する。
【００３８】
また、操作者が操作スイッチ群５のエンターキーＥＮＴを押下し制御回路２はエンターキーＥＮＴを受け付けると業務選択メニューに移行する。また、操作者が操作スイッチ群５のシフトキーＳｈｉｆｔを押下しながらファンクションキーＦ１を押下し制御回路２がこれらのキー操作を受け付けると日時設定を行う。また、操作者が操作スイッチ群５のＣキーを操作し制御回路２はＣキーを受け付けるとクリア処理してステップＴ２に戻り、画面を初期化した後、入力処理および表示処理を繰り返す。
【００３９】
アプリケーションプログラム上では制御回路２はこれらの処理を行うようになっているものの、前述したようにＯＳ処理のキー割込処理により特定キー５ａが押下されている間は表示器３に対して各操作ガイド情報が表示される。この機能は、操作者がこれらのキー操作入力方法を忘れてしまう虞があるため用意されている機能である。
【００４０】
図３に示すように、表示器３に対して業務開始画面Ｇ１が表示されているときに、操作者が特定キー５ａ（Ｍ１キー）を押下すると、制御回路２は外部メモリ６に記憶されている操作ガイド情報の中から操作者が求めると予想される操作ガイド情報を検索し表示器３に対して表示制御する。このとき制御回路２は、ガイダンステーブルＴを参照し優先順位の高い順に操作ガイド情報を表示器３に対して表示制御する。
【００４１】
制御回路２は、初期設定されている業務開始ガイダンスの区分の中から優先順位の一番高い操作ガイド情報を特定し表示器３に対して表示制御する。すなわち、図２に示すように、優先順位の一番高い操作ガイド情報は、ファンクションキーＦ１〜Ｆ３に関連する操作ガイド情報であるため、これらの操作ガイド情報が表示器３に表示される（図３の表示画面Ｇ２参照）。
【００４２】
この後、操作者が特定キー５ａ（Ｍ１キー）を離すと、制御回路２はこのキー操作を解除したとみなし、即時、キー操作される前の状態（前回表示されていた画面）、すなわち入力画面Ｇ１と同様の画面に表示状態を復帰させる（図３の表示画面Ｇ３参照）。尚、所定時間後に表示状態を復帰させるようにしても良い。このような場合、特別な操作をしなくても表示状態を自動的に前状態に復帰させることができるため利便性が向上する。
【００４３】
この後、操作者が必要とした操作ガイド情報を発見できなかったとき、再度特定キー５ａが押下されると、制御回路２はこのキー操作を検出しガイダンステーブルＴを参照し次に優先順位の高い操作ガイド情報を検索して表示器３に対して表示制御する。図２に示すように、業務開始ガイダンスの区分の中で優先順位の２番目に高い操作ガイド情報は、エンターキーＥＮＴやクリアキーＣに関連する操作ガイド情報であるため、制御回路２は、この操作ガイド情報を表示器３に対して表示制御する。
【００４４】
操作者は、この操作ガイド情報を理解した後、社員番号「１２３４５６７」を入力した後にエンターキーＥＮＴを押下すると、制御回路２は、この社員番号「１２３４５６７」に対応した部署情報や担当者情報を外部メモリ６から探索し、これらの情報を社員番号と共に表示器３に対して表示制御する（図３の表示画面Ｇ６参照）。この後、制御回路２は、ＯＳ処理中にタイマにより所定時間の経過を検出すると、図５のステップＳ８において優先順位を更新する。この優先順位の更新処理は、最優先順位に設定されていないことを条件として優先順位を１順位繰り上げるようにすることが望ましい。具体的には、図２に示す業務開始ガイダンスの区分内において、ファンクションキーＦ１〜Ｆ３による操作ガイド情報を１順位繰り下げると共に、エンターキーＥＮＴおよびクリアキーＣによる操作ガイド情報を１順位繰り上げて最優先順位とする。この場合、適切な優先順位を設定することができ、制御回路２は、この設定された優先順位に応じて操作ガイド情報を表示制御するようにしているため、次に操作ガイド情報のリクエストを受け付けたときには、操作者が必要と考える操作ガイド情報（エンターキーＥＮＴ、クリアキーＣの操作ガイド情報）を表示器３に対して表示させることができる。
【００４５】
ここで仮に、再度操作者が入力方法を理解していない場合には、操作者は再度特定キー５ａを押下するが、特定キー５ａ（この場合Ｍ１キー）以外のキーが押下されていることを操作スイッチ群５の入力の履歴情報から検出し、最優先順位に設定された操作ガイド情報を表示器３に対して表示制御する（図３の表示画面Ｇ７）。
【００４６】
そして同様に、再度、操作者が特定キー５ａを離したときには、制御回路２は、この特定キー５ａの操作が解除されたことを検出し、前回表示した画面（表示画面Ｇ６：開始日時情報や社員番号情報、部署情報や担当者情報）を表示器３に対して表示復帰させる（図３の表示画面Ｇ８）。
【００４７】
また再度、操作者が特定キー５ａを押下したときには、制御回路２は、この特定キー５ａが押下されたことを検出し、前述と同様に、次に優先順位の高い操作ガイド情報を表示器３に対して表示制御する（図３の表示画面Ｇ９）。すなわち、優先順位２番に設定されたファンクションキーＦ１〜Ｆ３に関する操作ガイド情報を表示制御する。その後、制御回路２は、特定キー５ａが離されたことを検出すると、元の表示画面に復帰させる（図３の表示画面Ｇ１０参照）。
【００４８】
次に、さらに操作者が特定キー５ａを押下すると、制御回路２は、この特定キー５ａの押下を検出する。このとき、制御回路２は、次に優先順位の高い優先順位３番の操作ガイド情報が存在しないため、業務開始ガイダンスに関連付けされた他の区分内で操作ガイド情報を検索する。すなわち、日時ガイダンスの区分内で操作ガイド情報を検索する。
【００４９】
したがって、制御回路２は、日時ガイダンスの区分内で最優先順位に設定されたシフトキーＳｈｉｆｔ＋ファンクションキーＦ１に関連する操作ガイド情報を表示器３に対して表示制御する（図３の表示画面Ｇ１１参照）。すなわち、関連付けされた操作ガイド情報が存在する場合には、この操作ガイド情報を表示器３に対して表示することにより操作者はその他の操作ガイド情報をも理解することができるようになり利便性が向上する。
このようにして、操作ガイド情報が表示器３に表示されるため、操作者は入力方法を容易に理解することができ容易に入力を行うことができる。操作ガイド情報として説明表示されたキーが操作されると、制御回路２がこれらのキー操作入力を受け付け各情報処理を行うようになる。
【００５０】
具体的には、シフトキーＳｈｉｆｔ＋ファンクションキーＦ１が押下されると制御回路２はこの操作入力を検出し日時設定処理に移行する。また、Ｃキーが押下されると、制御回路２は、これまで入力された入力情報をクリアするクリア処理を行い、業務開始画面に移行する。また、エンターキーＥＮＴが押下されると、制御回路２はこの操作入力を検出し業務メニュー表示処理に移行する。また、ファンクションキーＦ１が押下されると、在庫管理業務に移行し、ファンクションキーＦ２が押下されると受注管理業務に移行し、ファンクションキーＦ３が押下されると売上管理業務に移行する。
【００５１】
このような実施形態によれば、制御回路２は操作スイッチ群５のキーに関連した入力方法の説明をガイダンステーブルＴに設定された優先順位に応じて特定キー５ａを押下している間だけ表示器３に表示制御するため、操作者が必要とする操作ガイド情報を表示器３に対して素早く表示させることができる。これにより、複雑な操作が必要とされるアプリションにおいても操作者が容易に入力を行うことができる。
【００５２】
特定キー５ａが押下され、ガイダンステーブルＴ内の業務開始ガイダンスの区分内で最優先順位の操作ガイド情報が検索された後、特定キー５ａが離された後に再度特定キー５ａが押下されたときには、制御回路２は、次に優先順位の高い操作ガイド情報を検索して表示器３に対して表示制御するため、たとえ最優先順位に設定された操作ガイド情報が操作者が必要とする情報でなくても、操作者が必要とする操作ガイド情報が次に表示される可能性が高くなり利便性が向上する。
さらに、業務開始ガイダンスの区分内で次に優先順位の高い操作ガイド情報を検索した場合、この操作ガイド情報が存在しないときには予め関連付けされた日時ガイダンスの区分内で優先順位の高い操作ガイド情報を検索するため、利便性を向上できる。
【００５３】
（第２の実施形態）
図６は、本発明の第２の実施形態を示すもので、第１の実施形態と異なるところは、優先順位に対応して重み付けを設定しており、この重み付けに応じて優先順位を設定しなおしているところにある。第１の実施形態と同一部分については同一符号を付して説明を省略し、以下異なる部分についてのみ説明する。
【００５４】
図６（ａ）〜図６（ｃ）は、優先順位に対応付けされた重み付けの情報を示している。この優先順位の情報と重み付けの情報は、外部メモリ６に記憶されている。この図６（ａ）に示すように、初期設定においては優先順位が高い順に重み付けが大きく設定されている。具体的には、優先順位１番目が重み付け１００、優先順位２番目が重み付け９５、優先順位３番目が重み付け９０、優先順位４番目が重み付け８５として設定されている。本実施形態においては、操作者が最後に表示した画面が優先順位２番目の操作ガイド情報の内容であった場合について説明する。前述実施形態の例で説明すると、表示器３に対し最後に表示した画面は、図３における表示画面Ｇ４を示しており、社員番号が入力される直前に表示器３に表示された操作ガイド情報を示している。
【００５５】
制御回路２は、最後に表示した画面に対応する操作ガイド情報の重み付けをＯＳ処理により所定数（例えば３）だけ高めるように更新する。尚、制御回路２は、重み付け更新手段としての機能を備えている。すなわち、優先順位２番目の操作ガイド情報の重み付けが更新されると、優先順位２番目の重み付けは９５＋３→９８となる。この場合、優先順位１番目の操作ガイド情報に対応する重み付けは１００であるため、元の優先順位１番目の操作ガイド情報に対応する重み付けの方が高い。したがって、優先順位が入れ替わることがない。
【００５６】
しかし、再度、優先順位２番目の操作ガイド情報が最後に表示されることになると、この操作ガイド情報に対応した重み付けを高めるように更新されるようになり、重み付けは９８＋３→１０１となる。この場合、優先順位１番目の操作ガイド情報に対応した重み付け１００を上回るようになる。すると、図６（ｃ）に示すように、制御回路２は、重み付けが大きい順に操作ガイド情報を検索し、対応した操作ガイド情報の優先順位を１順位繰り上げて更新する。
【００５７】
以上説明したように、本実施形態によれば、制御回路２は、最後に検索された操作ガイド情報の優先順位に対応した重み付けを高め、重み付けの大きい順に操作ガイド情報の優先順位を入れ替えるため、重み付けが大きい順に操作ガイド情報を検索することができる。これにより、適切な優先順位を設定できるようになる。
【００５８】
（他の実施形態）
本発明は、上記実施形態に限定されるものではなく、例えば、以下に示す変形もしくは拡張が可能である。
前述実施形態においては、優先順位情報が操作ガイダンス情報に設定された実施形態を示したが、優先順位は必要に応じて設定されていれば良い。また、優先順位情報に対応して設定された重み付け情報も必要に応じて設定されていれば良い。複数の区分毎に設定された実施形態を示したが、これは必要に応じて区分けされていれば良い。
【００５９】
第１の実施形態においては、関連付けされた区分が存在するときに当該区分内の操作ガイド情報を検索する実施形態を示したが、関連付けされた区分の操作ガイド情報が存在しないときには、当該区分内で最優先順位に対応した操作ガイド情報を検索結果としても良い。この場合、たとえ操作者が操作間違いをしたときでも最優先順位に設定された操作ガイド情報を再度検索結果として表示させることができ利便性が向上する。
【００６０】
尚、携帯情報端末機１のハードウェアに関する操作ガイド情報を検索結果として表示器３に対して表示制御させるようにしても良い。この場合、操作者は、ハードウェアに関する情報を知ることができる。また、制御回路２が実行可能なアプリケーションソフトウェアに共通の操作ガイド情報を検索結果として表示器３に対して表示制御するようにしても良い。この場合、操作者はアプリケーションソフトウェアの操作ガイド情報を知ることができる。
【図面の簡単な説明】
【００６１】
【図１】本発明の第１の実施形態に係る説明図（（ａ）電気的構成を示すブロック図、（ｂ）は外観図）
【図２】ガイダンステーブルの一例を示す図
【図３】表示画面の流れの一例を示す図
【図４】プログラムによる処理内容を概略的に示すフローチャート
【図５】ＯＳによる処理内容を概略的に示すフローチャート
【図６】本発明の第２の実施形態に係る説明図（（ａ）〜（ｃ）は、重み付けに応じた優先順位の変化を示す図）
【符号の説明】
【００６２】
図面中、１は携帯情報端末機、２は制御回路（制御手段、検索手段、優先順位更新手段、重み付け更新手段）、３は表示器（表示手段）、５は操作スイッチ群（入力手段）、６は外部メモリ（操作ガイド情報記憶手段）を示す。
【図１】
0004655779.tif 000002
【図２】
0004655779.tif 000003
【図３】
0004655779.tif 000004
【図４】
0004655779.tif 000005
【図５】
0004655779.tif 000006
【図６】
0004655779.tif 000007